(57)【要約】【課題】レンズバリヤ装置の薄型化、小型化等を図る。【解決手段】開口部１１を有するベース１０、開口部２１を有しベースに結合されるカバー２０、ベース及びカバーにより画定される空間内に配置されて開口部を開放する開放位置と開口部を閉鎖する閉鎖位置の間を移動自在に支持された第１バリヤ羽根３１及び第２バリヤ羽根３２、バリヤ羽根を開閉駆動する駆動機構１００を備え、駆動機構１００は、駆動ユニット１１０，１１１，１１２を含み、第１バリヤ羽根に連結された第１ラック１０１を所定方向に往復動させ、第１ラック及び第２ラックに噛合するピニオン１０３を介して、第２バリヤ羽根に連結された第２ラック１０２を所定方向に往復動させる。構造の簡素化、装置の小型化及び薄型化を達成できる。【選択図】図２
2009229856.tif 000002
【特許請求の範囲】
【請求項１】
開口部を有するベースと、開口部を有し前記ベースに結合されるカバーと、前記ベース及びカバーにより画定される空間内に配置されて前記開口部を開放する開放位置と前記開口部を閉鎖する閉鎖位置の間を移動自在に支持されたバリヤ羽根と、前記バリヤ羽根を開閉駆動する駆動機構と、を備えたレンズバリヤ装置であって、
前記バリヤ羽根は、お互いに協働して前記開口部を開閉する第１バリヤ羽根及び第２バリヤ羽根を含み、
前記駆動機構は、前記第１バリヤ羽根に連結されて所定方向に往復動する第１ラックと、前記第２バリヤ羽根に連結されて所定方向に往復動する第２ラックと、前記第１ラック及び第２ラックに噛合するピニオンと、前記第１ラックを往復駆動する駆動ユニットとを含む、
ことを特徴とするレンズバリヤ装置。
【請求項２】
前記駆動ユニットは、前記所定方向と平行に伸長する回転軸をもつモータと、前記モータに直結されたリードスクリューと、前記リードスクリューに螺合すると共に回転が規制されて前記第１ラックに形成された係合部を係合させて連動させるナットとを含む、
ことを特徴とする請求項１に記載のレンズバリヤ装置。
【請求項３】
前記第１バリヤ羽根及び第２バリヤ羽根を前記閉鎖位置に向けて付勢する付勢バネを含み、
前記係合部は、前記付勢バネの付勢力により前記ナットの一端面に対して離脱可能に係合するように形成されている、
ことを特徴とする請求項２に記載のレンズバリヤ装置。
【請求項４】
前記第１ラック及び第２ラックは、それぞれ、外側面から突出する第１ピン及び第２ピンを有し、
前記第１バリヤ羽根及び第２バリヤ羽根は、ぞれぞれ、前記第１ピンを嵌合する円孔及び前記第２ピンを挿入する長孔又はスリットを有し、
前記第１バリヤ羽根及び第２バリヤ羽根は、前記閉鎖位置において、お互いの端面同士が当接して停止するように形成されている、
ことを特徴とする請求項１ないし３いずれか一つに記載のレンズバリヤ装置。
【請求項５】
前記第１バリヤ羽根及び第２バリヤ羽根が、前記閉鎖位置又は前記開放位置のいずれに位置するかを検出する検出機構を含み、
前記検出機構は、前記第１ラック又は前記第２ラックに形成された被検出片と、前記被検出片が前記閉鎖位置に対応する位置及び前記開放位置に対応する位置のいずれの位置にあるかを検出する検出センサとを含む、
ことを特徴とする請求項１ないし４いずれか一つに記載のレンズバリヤ装置。
【発明の詳細な説明】
【技術分野】
【０００１】
本発明は、カメラの未使用時にレンズの前方を覆うレンズバリヤ装置に関し、特に、デジタルカメラを備える携帯電話機等に搭載されるレンズバリヤ装置に関する。
【背景技術】
【０００２】
従来のレンズバリヤ装置としては、レンズのズーミングを行うためのズームモータ、ズームモータの駆動力を伝達するズーム歯車列、ズーム歯車列により伝達される駆動力によりレンズを光軸方向に移動させるズーム機構等を備えたカメラにおいて、バリヤ羽根を開閉するバリヤ開閉機構として、ズーム歯車列に連結された歯車列、バリヤ開閉用アーム、付勢バネ等を設け、又、ズーム歯車列の動力伝達経路の途中においてバリヤ開閉機構に連結される遊星歯車機構を設け、遊星歯車機構（遊星歯車）の位置に応じて、ズームモータの駆動力をズーム機構とバリヤ開閉機構とに切り換えて伝達するようにしたものが知られている（例えば、特許文献１参照）。
この装置においては、ズーム機構を駆動する一つの駆動源（ズームモータ）を、バリヤ開閉機構を駆動する駆動源として兼用したものである。
【０００３】
しかしながら、複数の歯車列を追加することは、装置の複雑化、大型化を招き、又、ズームモータは、その駆動軸の方向がレンズの光軸と平行（すなわち、バリヤ羽根に垂直）となる方向に配置されているため、光軸方向において装置を薄型化するのは困難である。
また、一つのバリヤ羽根を揺動させて開口部を開閉するため、バリヤ羽根の移動空間を広く確保する必要があり、装置の大型化を招くことになる。
一方、ズーミングを行わないデジタルカメラ等においては、ズーム機能の駆動源等が存在しないため、上記のようにバリヤ開閉機構の駆動源として兼用することができない。そこで、バリヤ羽根の駆動機構として、上記のような構成をなす駆動機構を適用すると、携帯電話機等に搭載されるように、レンズバリヤ装置を薄型化及び小型化するのが困難である。
【特許文献１】特開２０００−１２２１１７号公報
【発明の開示】
【発明が解決しようとする課題】
【０００４】
本発明は、上記の事情に鑑みて成されたものであり、その目的とするところは、構造の簡素化、薄型化、小型化等を図りつつ、特にデジタルカメラを備える携帯電話機等に搭載されるのに適したレンズバリヤ装置を提供することにある。
【課題を解決するための手段】
【０００５】
本発明のレンズバリヤ装置は、開口部を有するベースと、開口部を有しベースに結合されるカバーと、ベース及びカバーにより画定される空間内に配置されて開口部を開放する開放位置と開口部を閉鎖する閉鎖位置の間を移動自在に支持されたバリヤ羽根と、バリヤ羽根を開閉駆動する駆動機構と、を備えたレンズバリヤ装置であって、上記バリヤ羽根は、お互いに協働して開口部を開閉する第１バリヤ羽根及び第２バリヤ羽根を含み、上記駆動機構は、第１バリヤ羽根に連結されて所定方向に往復動する第１ラックと、第２バリヤ羽根に連結されて所定方向に往復動する第２ラックと、第１ラック及び第２ラックに噛合するピニオンと、第１ラックを往復駆動する駆動ユニットとを含む、ことを特徴としている。
この構成によれば、駆動ユニットの駆動力により、第１ラックが一方向に移動すると、ピニオンを介して第２ラックが他方向に移動し、第１バリヤ羽根と第２バリヤ羽根は協働して開口部を閉鎖する閉鎖位置に移動し、一方、第１ラックが他方向に移動すると、ピニオンを介して第２ラックが一方向に移動し、第１バリヤ羽根と第２バリヤ羽根はお互いに離隔して開口部を開放する開放位置に移動する。
このように、駆動機構としてラック・ピニオン機構を採用して第１バリヤ羽根の動作に第２バリヤ羽根を連動させたことにより、構造の簡素化、装置の小型化及び薄型化を達成しつつ、バリヤ羽根に開閉動作を確実に行わせることができる。また、バリヤ羽根として一対のバリヤ羽根を採用したことにより、それぞれのバリヤ羽根の移動空間を狭くすることができ、装置をさらに小型化することができる。
【０００６】
上記構成において、駆動ユニットは、第１ラック及び第２ラックが往復動する所定方向と平行に伸長する回転軸をもつモータと、モータに直結されたリードスクリューと、リードスクリューに螺合すると共に回転が規制されて第１ラックに形成された係合部を係合させて連動させるナットとを含む、構成を採用することができる。
この構成によれば、駆動ユニットとして、バリヤ羽根の開閉方向（所定方向）に平行に配置されたモータ、リードスクリュー、第１ラックの係合部が連動するナットを採用したことにより、構造の簡素化、装置の小型化及び一層の薄型化を達成することができる。
【０００７】
上記構成において、第１バリヤ羽根及び第２バリヤ羽根を閉鎖位置に向けて付勢する付勢バネを含み、係合部は、付勢バネの付勢力によりナットの一端面に対して離脱可能に係合するように形成されている、構成を採用することができる。
この構成によれば、モータによりリードスクリューが一方向に回転すると、ナットが一方向に移動し、係合部が付勢バネの付勢力により付勢されてナットに追従し、第１バリヤ羽根及び第２バリヤ羽根は開口部を閉鎖する閉鎖位置に至る。そして、この閉鎖状態において、バリヤ羽根を強引に開けようとする外力が加わった場合、係合部は付勢バネの付勢力に抗してナットから離脱するように移動し得るため、駆動機構に過大な負荷が加わらず、駆動機構あるいはバリヤ羽根の破損等を防止でき、所期の機能を確実に保証することができる。
【０００８】
上記構成において、第１ラック及び第２ラックは、それぞれ、外側面から突出する第１ピン及び第２ピンを有し、第１バリヤ羽根及び第２バリヤ羽根は、ぞれぞれ、第１ピンを嵌合する円孔及び第２ピンを挿入する長孔又はスリットを有し、第１バリヤ羽根及び第２バリヤ羽根は、閉鎖位置において、お互いの端面同士が当接して停止するように形成されている、構成を採用することができる。
この構成によれば、第１ラックの第１ピンが第１バリヤ羽根の円孔に嵌合され、第１ラックの第２ピンが第１バリヤ羽根の長孔又はスリットに挿入されることで、第１バリヤ羽根が第１ラックに連結され、又、第２ラックの第１ピンが第２バリヤ羽根の円孔に嵌合され、第２ラックの第２ピンが第２バリヤ羽根の長孔又はスリットに挿入されることで、第２バリヤ羽根が第２ラックに連結される。すなわち、第１バリヤ羽根及び第２バリヤ羽根が、それぞれ第１ラック及び第２ラックに対して不動（リジッド）に固定されているのではなく、第２ピンと長孔又はスリットとが遊びをもつ連結関係にあるため、第１ラック及び第２ラックの製造精度又は組み付け精度にばらつきがあっても、閉鎖時に第１バリヤ羽根及び第２バリヤ羽根の端面同士が当接する際に、両者の当接力を利用して、端面同士の間に隙間を生じないように自動的な微調整作用を得ることができる。
【０００９】
上記構成において、第１バリヤ羽根及び第２バリヤ羽根が閉鎖位置又は開放位置のいずれに位置するかを検出する検出機構を含み、検出機構は、第１ラック又は第２ラックに形成された被検出片と、被検出片が閉鎖位置に対応する位置及び開放位置に対応する位置のいずれの位置にあるかを検出する検出センサとを含む、構成を採用することができる。
この構成によれば、検出機構により、バリヤ羽根が閉鎖位置に位置するのか又は開放位置に位置するのかを検出できるため、モータとしてもＤＣモータ等を利用でき、駆動機構の制御が容易になる。
特に、第１ラック又は第２ラックに形成された被検出片の位置を（例えば、透過型あるいは反射型の光センサ等の）検出センサにより検出することでバリヤ羽根の位置を検出できるため、検出機構を簡素化しつつ、バリヤ羽根の位置を確実に検出することができる。
【発明の効果】
【００１０】
上記構成をなすバリヤ装置によれば、構造の簡素化、薄型化、小型化等を達成しつつ、特にデジタルカメラを備える携帯電話機等に搭載されるのに適したレンズバリヤ装置を得ることができる。
【発明を実施するための最良の形態】
【００１１】
以下、本発明の最良の実施形態について、添付図面を参照しつつ説明する。
図１ないし図７は、本発明に係るレンズバリヤ装置の一実施形態を示すものであり、図１はレンズバリヤ装置を搭載した携帯電話機の外観斜視図、図２及び図３はレンズバリヤ装置の分解斜視図、図４はレンズバリヤ装置の一部を切断した斜視断面図、図５ないし図７はレンズバリヤ装置の内部を示す平面図である。
【００１２】
このレンズバリヤ装置Ｍが搭載される携帯電話機ＭＰは、図１に示すように、円形の撮影窓Ｐ１を有し、撮影窓Ｐ１の後方の内部空間において、前方から後方に向けて順に配置されたレンズバリヤ装置Ｍ、レンズを含むデジタルカメラＵを備えている。
レンズバリヤ装置Ｍは、図２ないし図７に示すように、円形の開口部１１を有するベース１０、ベース１０の前面に結合されると共に円形の開口部２１を有するカバー２０、ベース１０及びカバー２０により画定される内部空間に収容されたバリヤ羽根としての第１バリヤ羽根３１及び第２バリヤ羽根３２、ベース１０に設けられて第１バリヤ羽根３１及び第２バリヤ羽根３２を開閉駆動する駆動機構１００、検出機構の一部をなす２つの検出センサ１２０，１２１等を備えている。
【００１３】
駆動機構１００は、図２ないし図４に示すように、第１バリヤ羽根３１に連結されてレンズの光軸方向Ｌに垂直な所定方向Ｘに往復動する第１ラック１０１、第２バリヤ羽根３２に連結されて所定方向Ｘに往復動する第２ラック１０２、第１ラック１０１と第２ラック１０２に噛合するピニオン１０３、第１ラック１０１を所定方向Ｘに往復動自在にガイドする第１ガイドシャフト１０４、第２ラック１０２を所定方向Ｘに往復動自在にガイドする第２ガイドシャフト１０５、第１ガイドシャフト１０４に嵌め込まれて第１ラック１０１を付勢する付勢バネ１０６、回転駆動力を発生するモータ１１０、モータ１１０に直結されたリードスクリュー１１１、リードスクリューに螺合されたナット１１２、リードスクリュー１１１を回動自在に支持するブラケット１１３等を備えている。
【００１４】
ベース１０は、図２ないし図４に示すように、略矩形の輪郭をなす箱状に形成されており、レンズに向う被写体光を通す円形の開口部１１、開口部１１の周りにおいて第１バリヤ羽根３１及び第２バリヤ羽根３２を摺動自在に支持するガイド面１２、第１ガイドシャフト１０４を嵌合する嵌合穴１３、第２ガイドシャフト１０５を嵌合する嵌合穴１４、ピニオン１０３を回動自在に支持する支軸１５、第１ラック１０１及び第２ラック１０２を摺動自在にガイドするガイド面１６、ナット１１２を回転不能に規制して移動自在にガイドするガイド溝１７、モータ１１０を固定する固定部１８、カバー２０を結合するための掛止部１９ａ、締結用のネジＢを捩じ込むネジ穴１９ｂ等を備えている。
【００１５】
ガイド面１２は、光軸方向Ｌに垂直な平面として形成されている。
支軸１５は、光軸方向Ｌと平行な方向に伸長するように形成されている。
ガイド面１６は、ガイド面１２よりも（ベース１０の底側の）低い位置において光軸方向Ｌに垂直な平面として形成されている。
ガイド溝１７は、ガイド面１６よりも（ベース１０の底側の）低い位置において所定方向Ｘと平行に伸長するように形成されている。
【００１６】
カバー２０は、図２ないし図４に示すように、略矩形の輪郭をなすように平板状に形成されており、レンズに向う被写体光を通す円形の開口部２１、後述する第１ラック１０１の第１ピン１０１ｃ及び第２ピン１０１ｄをそれぞれガイドするガイド長孔２２ａ，２２ｂ、後述する第２ラック１０２の第１ピン１０２ｃ及び第２ピン１０２ｄをそれぞれガイドするガイド長孔２３ａ，２３ｂ、ベース１０の掛止部１９ａに掛止される掛止片２４、締結用のネジＢが通される円孔２５等を備えている。
【００１７】
開口部２１は、ベース１０の開口部１１と同軸上において略同一径をなすように形成されている。
ガイド長孔２２ａ，２２ｂは、第１ラック１０１が往復動する所定方向Ｘにおいて、第１ラック１０１の移動ストロークよりも若干長い領域に亘って形成されている。
ガイド長孔２３ａ，２３ｂは、第２ラック１０２が往復動する所定方向Ｘにおいて、第２ラック１０２の移動ストロークよりも若干長い領域に亘って形成されている。
このように、カバー２０に対して、第１ピン１０１ｃ，１０２ｃ及び第２ピン１０１ｄ，１０２ｄをそれぞれ摺動自在にガイドするガイド長孔２２ａ，２３ａ，２２ｂ，２３ｂを設けたことにより、第１ラック１０１及び第２ラック１０２のガタツキを防止して、第１ラック１０１及び第２ラック１０２すなわち第１バリヤ羽根３１及び第２バリヤ羽根３２を高精度に所定方向Ｘに往復動させることができる。
【００１８】
第１バリヤ羽根３１は、図５ないし図７に示すように、長尺な略矩形形状に形成されており、後述する第２バリヤ羽根３２の端面３２ａと当接する直線的に形成された端面３１ａ、後述する第１ラック１０１の第１ピン１０１ｃを嵌合する円孔３１ｂ、後述する第１ラック１０１の第２ピン１０１ｄを挿入する長孔３１ｃ等を備えている。
第２バリヤ羽根３２は、図５ないし図７に示すように、長尺な略矩形形状に形成されており、第１バリヤ羽根３１の端面３１ａと当接する直線的に形成された端面３２ａ、後述する第２ラック１０２の第１ピン１０２ｃを嵌合する円孔３２ｂ、後述する第２ラック１０２の第２ピン１０２ｄを挿入するスリット３２ｃ等を備えている。
【００１９】
すなわち、第１バリヤ羽根３１及び第２バリヤ羽根３２は、ベース１０及びカバー２０により画定される内部空間において所定方向Ｘに往復動自在に配置され、図５に示すように開口部１１，２１を開放する開放位置と、図６に示すように開口部１１，２１を閉鎖する閉鎖位置の間を移動するようになっている。
また、第１バリヤ羽根３１及び第２バリヤ羽根３２は、図６に示す閉鎖位置において、お互いの端面３１ａ，３２ａ同士が当接して停止するように形成されている。したがって、第１バリヤ羽根３１及び第２バリヤ羽根３２が開口部１１，２１を閉じる際に、お互いの端面３１ａ，３２ａ同士が当接して閉鎖位置に停止するため、開口部１１，２１を確実に遮蔽することができると共に、ベース１０やカバー２０等に第１バリヤ羽根３１及び第２バリヤ羽根３２のストッパを設ける必要がなく、ベース１０及びカバー２０の形状を簡素化することができる。
【００２０】
さらに、第１バリヤ羽根３１は、第１ラック１０１の第１ピン１０１ｃがその円孔３１ｂに嵌合され、第１ラック１０１の第２ピン１０１ｄがその長孔３１ｃに挿入されることで、第１ラック１０１に連結されている。また、第２バリヤ羽根３２は、第２ラック１０２の第１ピン１０２ｃがその円孔３２ｂに嵌合され、第２ラック１０２の第２ピン１０２ｄがそのスリット３２ｃに挿入されることで、第２ラック１０２に連結されている。
すなわち、第１バリヤ羽根３１及び第２バリヤ羽根３２が、それぞれ第１ラック１０１及び第２ラック１０２に対して不動（リジッド）に固定されているのではなく、第２ピン１０１ｄと長孔３１ｃ及び第２ピン１０２ｄとスリット３２ｃとがそれぞれ遊びをもつ連結関係にあるため、第１ラック１０１及び第２ラック１０２の製造精度又は組み付け精度にばらつきがあっても、第１バリヤ羽根３１及び第２バリヤ羽根３２の端面３１ａ，３２ａ同士が当接する際に、両者の当接力を利用して、端面３１ａ，３２ａ同士の間に隙間を生じないように自動的な微調整作用を得ることができる。
【００２１】
第１ラック１０１は、図２ないし図５に示すように、略矩形断面をなし所定方向Ｘに伸長する直方体形状に形成されており、ピニオン１０３と噛合する歯列部１０１ａ、第１ガイドシャフト１０４が通されるガイド孔１０１ｂ、カバー２０と対向する外側面から突出する円柱状の第１ピン１０１ｃ及び円柱状の第２ピン１０１ｄ、ナット１１２の一端面と係合し得るべく所定方向Ｘに対して垂直な方向に突出して形成された板状の係合部１０１ｅ、ベース１０の底面に向けて突出するように形成されて検出センサ１２０，１２１により検出され得る板状の被検出片１０１ｆ（図３参照）等を備えている。
係合部１０１ｅは、付勢バネ１０６の付勢力により、ナット１１２の一端面に対して離脱可能に係合するように形成されている。
【００２２】
第２ラック１０２は、図２ないし図５に示すように、略矩形断面をなし所定方向Ｘに伸長する直方体形状に形成されており、ピニオン１０３と噛合する歯列部１０２ａ、第２ガイドシャフト１０５が通されるガイド孔１０２ｂ、カバー２０と対向する外側面から突出する円柱状の第１ピン１０２ｃ及び円柱の一部をカットした形状の第２ピン１０２ｄ等を備えている。
【００２３】
ピニオン１０３は、図２、図４、図５に示すように、ベース１０の支軸１５に嵌合されて回動自在に支持されており、お互いに対向するように配置された第１ラック１０１の歯列部１０１ａと第２ラック１０２の歯列部１０２ａに噛合している。
すなわち、ピニオン１０３は、第１ラック１０１の動きを第２ラック１０２に伝達する（連動させる）と共に、第１ラック１０１の移動方向と逆向きに第２ラック１０２を移動させる役割をなすものである。
【００２４】
第１ガイドシャフト１０４は、図２ないし図５に示すように、円形断面をなし所定方向Ｘに伸長するように形成されており、第１ラック１０１のガイド孔１０１ｂに摺動自在に通されて第１ラック１０１を支持し、その両端部がベース１０の嵌合穴１３に嵌合されることで、ベース１０に固定されている。
第２ガイドシャフト１０５は、図２ないし図５に示すように、円形断面をなし所定方向Ｘに伸長するように形成されており、第２ラック１０２のガイド孔１０２ｂに摺動自在に通されて第２ラック１０２を支持し、その両端部がベース１０の嵌合穴１４に嵌合されることで、ベース１０に固定されている。
【００２５】
付勢バネ１０６は、図２及び図６に示すように、第１ガイドシャフト１０４の周りに外嵌されたコイルスプリングからなり、その一端部がベース１０の側壁に当接され、その他端部が第１ラック１０１の端部に当接されて、第１ラック１０１を所定方向Ｘの一方側すなわち第１バリヤ羽根３１及び第２バリヤ羽根３２を閉鎖位置に向けて付勢するように所定の圧縮代に圧縮した状態で組み込まれている。
【００２６】
モータ１１０は、図２、図３、図５に示すように、その回転軸１１０ａが所定方向Ｘと平行に伸長するように方向付けられて、ベース１０の固定部１８に固定されている。ここで、モータ１１０としては、ＤＣモータを適用することができ、その他、ステッピングモータ等を適用してもよい。
リードスクリュー１１１は、図２、図３、図５に示すように、その軸線が所定方向Ｘと平行に伸長するように方向付けられてモータ１１０の回転軸１１０ａに直結（直接連結）されている。
ナット１１２は、図２ないし図５に示すように、突起部１１２ａをもつ略矩形の板状に形成されており、リードスクリュー１１１に螺合されると共に、図４に示すように突起部１１２ａがベース１０のガイド溝１７に挿入されてリードスクリュー１１１回りの回転が規制されている。
そして、ナット１１２は、リードスクリュー１１１の回転に伴って所定方向Ｘに移動すると共に、その一端面において、付勢バネ１０６により付勢された第１ラック１０１の係合部１０１ｅを係合させて連動させるようになっている。
ブラケット１１３は、図２、図３、図５に示すように、略コ字状に屈曲して形成され、モータ１１０に固定されている。そして、ブラケット１１３は、リードスクリュー１１１の先端を回動自在に支持すると共に、ベース１０及びカバー２０により固定されるようになっている。
【００２７】
ここでは、モータ１１０、リードスクリュー１１１、ナット１１２により、第１ラック１０１を往復駆動する駆動ユニットが構成されている。
また、第１ラック１０１、第２ラック１０２、ピニオン１０３、及び駆動ユニット（モータ１１０、リードスクリュー１１１、ナット１１２）により、第１バリヤ羽根３１及び第２バリヤ羽根３２を開閉駆動する駆動機構が構成されている。
【００２８】
すなわち、上記駆動ユニットにおいては、モータ１１０によりリードスクリュー１１１が一方向に回転すると、ナット１１２が一方向に移動し、係合部１０１ｅが付勢バネ１０６の付勢力により付勢されてナット１１２に追従することで、第１ラック１０１が一方向に移動し、ピニオン１０３を介して、第２ラック１０２が第１ラック１０１と逆向きの他方向に移動し、図６に示すように、第１バリヤ羽根３１及び第２バリヤ羽根３２は開口部１１，２１を閉鎖する閉鎖位置に至る。
一方、モータ１１０によりリードスクリュー１１１が他方向に回転すると、ナット１１２が他方向に移動し、係合部１０１ｅが付勢バネ１０６の付勢力に抗しつつナット１１２に押されて移動することで、第１ラック１０１が他方向に移動し、ピニオン１０３を介して、第２ラック１０２が第１ラック１０１と逆向きの一方向に移動し、図５に示すように、第１バリヤ羽根３１及び第２バリヤ羽根３２は開口部１１，２１を開放する開放位置に至る。尚、この開放位置においては、第２ガイドシャフト１０５の周りに嵌め込まれた緩衝バネ１０７により、第２ラック１０２を受け止めて衝撃を吸収するようになっている。
また、第１バリヤ羽根３１及び第２バリヤ羽根３２が閉鎖位置にある状態において、第１バリヤ羽根３１及び第２バリヤ羽根３２を強引に開けるような外力が加わった場合、図７に示すように、第１ラック１０１の係合部１０１ｅは、付勢バネ１０６の付勢力に抗しつつナット１０２から離脱して、第１バリヤ羽根３１及び第２バリヤ羽根３２はその外力に応じて開放動作を行うようになっている。
【００２９】
このように、駆動ユニットとして、第１バリヤ羽根３１及び第２バリヤ羽根３２の開閉方向（所定方向Ｘ）に平行となるように回転軸１１０ａが方向付けられて配置されたモータ１１０、リードスクリュー１１１、第１ラック１０１の係合部１０１ｅが連動するナット１１２を採用したことにより、構造の簡素化、装置の小型化及び一層の薄型化を達成することができる。
また、駆動機構としてラック・ピニオン機構を採用して第１バリヤ羽根３１の動作に第２バリヤ羽根３２を連動させたことにより、構造の簡素化、装置の小型化及び薄型化を達成しつつ、第１バリヤ羽根３１及び第２バリヤ羽根３２に開閉動作を確実に行わせることができる。また、バリヤ羽根として一対のバリヤ羽根３１，３２を採用したことにより、それぞれのバリヤ羽根３１，３２の移動空間を狭くすることができ、装置をさらに小型化することができる。
さらに、閉鎖状態において、バリヤ羽根３１，３２を強引に開けようとする外力が加わった場合、係合部１０１ｅが付勢バネ１０６の付勢力に抗してナット１１２から離脱して移動し得るため、駆動機構に過大な負荷が加わらず、駆動機構あるいはバリヤ羽根３１，３２の破損等を防止でき、所期の機能を確実に保証することができる。
【００３０】
検出センサ１２０は、図２、図３、図５に示すように、ベース１０の底部に固定された透過型の光センサであり、第１ラック１０１の被検出片１０１ｆがこの領域に位置するとき、図５に示すように、第１バリヤ羽根３１及び第２バリヤ羽根３２が開放位置に位置することを検出するようになっている。
検出センサ１２１は、図２、図３、図５に示すように、ベース１０の底部に固定された透過型の光センサであり、第１ラック１０１の被検出片１０１ｆがこの領域に位置するとき、図６に示すように、第１バリヤ羽根３１及び第２バリヤ羽根３２が閉鎖位置に位置することを検出するようになっている。
尚、検出センサ１２０，１２１としては、反射型の光センサを採用してもよい。
【００３１】
すなわち、第１ラック１０１の被検出片１０１ｆ、検出センサ１２０，１２１により、第１バリヤ羽根３１及び第２バリヤ羽根３２が閉鎖位置又は開放位置のいずれに位置するかを検出する検出機構が構成されている。
このように、検出機構を設けたことにより、検出情報を利用して駆動制御を行うことができるため、モータ１１０としてもＤＣモータ等を利用でき、駆動機構の制御が容易になる。また、検出機構として、第１ラック１０１の被検出片１０１ｆ、検出センサ１２０，１２１を採用したことにより、検出機構を簡素化しつつ、バリヤ羽根３１，３２の位置を確実に検出することができる。
【００３２】
次に、上記レンズバリヤ装置の動作について、図５ないし図７を参照しつつ説明する。
先ず、デジタルカメラＵが未使用の状態では、図６に示すように、第１バリヤ羽根３１及び第２バリヤ羽根３２は開口部１１，２１を閉鎖した閉鎖位置にある。また、この閉鎖位置において、検出センサ１２１は第１バリヤ羽根３１及び第２バリヤ羽根３２が閉鎖位置にあることを検出している。
【００３３】
ここで、操作者が、デジタルカメラＵにより撮影するために、携帯電話機ＭＰに設けられた操作ボタン（不図示）を操作すると、モータ１１０が起動して、リードスクリュー１１１が他方向に回転し、ナット１１２が他方向に移動し始め、係合部１０１ｅが付勢バネ１０６の付勢力に抗しつつナット１１２に押されて移動し、第１ラック１０１が他方向に移動し、ピニオン１０３を介して、第２ラック１０２が第１ラック１０１と逆向きの一方向に移動し、図５に示すように、第１バリヤ羽根３１及び第２バリヤ羽根３２は開口部１１，２１を開放する開放位置に至ると同時に、検出センサ１２０により検出信号が出力されて、モータ１１０が停止する。
これにより、第１バリヤ羽根３１及び第２バリヤ羽根３２は開口部１１，２１を全開した状態にあり、デジタルカメラＵによる撮影が可能となる。
【００３４】
一方、撮影が終了した後、操作者が携帯電話機ＭＰに設けられた操作ボタン（不図示）を操作すると、モータ１１０が起動して、リードスクリュー１１１が一方向に回転し、ナット１１２が一方向に移動し始め、係合部１０１ｅが付勢バネ１０６の付勢力に付勢されてナット１１２に追従し、第１ラック１０１が一方向に移動し、ピニオン１０３を介して、第２ラック１０２が第１ラック１０１と逆向きの他方向に移動し、図６に示すように、第１バリヤ羽根３１及び第２バリヤ羽根３２は開口部１１，２１を閉鎖する閉鎖位置に至ると同時に、検出センサ１２１により検出信号が出力されて、モータ１１０が停止する。
【００３５】
また、操作者の手が触れてあるいは他の物体が当って、バリヤ羽根３１，３２を開くような力が加わった場合、図７に示すように、ナット１１２が所定位置に停止した状態で、第１ラック１０１の係合部１０１ｅがナット１１２の一端面から離脱して、第１ラック１０１が自由に移動し、又、ピニオン１０３を介して、第２ラック１０２も第１ラック１０１に連動して移動するため、無理な力が第１バリヤ羽根３１及び第２バリヤ羽根３２に加わることはなく、又、駆動機構にも無理な負荷が加わることはない。これにより、駆動機構あるいはバリヤ羽根３１，３２の破損等が防止される。
【００３６】
上記実施形態においては、第１ラック１０１及び第２ラック１０２として、所定方向Ｘに直線的に伸長するように形成されたものを示したが、これに限定されるものではなく、湾曲した円弧状に形成されたものを採用し、第１バリヤ羽根及び第２バリヤ羽根が円弧状に往復動して開口部１１，２１を開閉するようにしてもよい。
上記実施形態においては、第１ラック１０１を往復駆動する駆動ユニットとして、モータ１１０、リードスクリュー１１１、ナット１１２を採用した場合を示したが、これに限定されるものではなく、第１ラック１０１を往復駆動できるものであれば、ソレノイド等を駆動源とするアクチュエータ、あるいは、その他の駆動ユニットを採用してもよい。
【産業上の利用可能性】
【００３７】
以上述べたように、本発明のレンズバリヤ装置は、構造の簡素化、薄型化、小型化等を達成できるため、デジタルカメラを備える携帯電話機等に適用できるのは勿論のこと、薄型化が要求されるものであれば、その他の携帯情報端末機等にも有用である。
【図面の簡単な説明】
【００３８】
【図１】本発明に係るレンズバリヤ装置を搭載した携帯電話機を示す外観斜視図である。
【図２】本発明に係るレンズバリヤ装置の分解斜視図である。
【図３】本発明に係るレンズバリヤ装置の分解斜視図である。
【図４】本発明に係るレンズバリヤ装置の一部を切断した斜視断面図である。
【図５】本発明に係るレンズバリヤ装置の内部を示す平面図である。
【図６】本発明に係るレンズバリヤ装置の内部を示す平面図である。
【図７】本発明に係るレンズバリヤ装置の内部を示す平面図である。
【符号の説明】
【００３９】
ＭＰ  携帯電話機
Ｐ１  撮影窓
Ｍ  レンズバリヤ装置
Ｕ  デジタルカメラ
Ｌ  レンズの光軸方向
Ｘ  所定方向
１０  ベース
１１  開口部
１２  ガイド面
１３，１４  嵌合穴
１５  支軸
１６  ガイド面
１７  ガイド溝
１８  固定部
１９ａ  掛止部
１９ｂ  ネジ穴
２０  カバー
２１  開口部
２２ａ，２２ｂ，２３ａ，２３ｂ  ガイド長孔
２４  掛止片
２５  円孔
３１  第１バリヤ羽根
３１ａ  端面
３１ｂ  円孔
３１ｃ  長孔
３２  第２バリヤ羽根
３２ａ  端面
３２ｂ  円孔
３２ｃ  スリット
１００  駆動機構
１０１  第１ラック
１０１ａ  歯列部
１０１ｂ  ガイド孔
１０１ｃ  第１ピン
１０１ｄ  第２ピン
１０１ｅ  係合部
１０１ｆ  被検出片（検出機構）
１０２  第２ラック
１０２ａ  歯列部
１０２ｂ  ガイド孔
１０２ｃ  第１ピン
１０２ｄ  第２ピン
１０３  ピニオン
１０４  第１ガイドシャフト
１０５  第２ガイドシャフト
１０６  付勢バネ
１０７  緩衝バネ
１１０  モータ（駆動ユニット）
１１０ａ  回転軸
１１１  リードスクリュー（駆動ユニット）
１１２  ナット（駆動ユニット）
１１２ａ  突起部
１１３  ブラケット
１２０，１２１  検出センサ（検出機構）
【図１】
2009229856.tif 000003
【図２】
2009229856.tif 000004
【図３】
2009229856.tif 000005
【図４】
2009229856.tif 000006
【図５】
2009229856.tif 000007
【図６】
2009229856.tif 000008
【図７】
2009229856.tif 000009